(57)【要約】【課題】  この健康器具は比較的簡単な構造の器具で、身体のストレッチは勿論のこと、下半身の増強にも役立つもので、整体や体調の不調を解消したりできる。又、使用する人の体格に合わせて、器具が調整できるので、単一の器具をより多くの人が共用できる。【解決手段】  頭側の天フレーム１と、足側の地フレーム２と、左右のサイドフレーム３と、によって形成された四辺形状フレームＦが形成され、地フレーム２側に蹴り板６を備え、当該蹴り板６は天フレ−ム１側に弾発部材９にて付勢され、かつ、左右のサイドフレーム３に握り棒５を立設したことを特徴とする健康器具。【選択図】  図１
2005287998.tif 000002
【特許請求の範囲】
【請求項１】
頭側の天フレーム１と、足側の地フレーム２と、左右のサイドフレーム３と、によって形成された四辺形状フレームＦが形成され、地フレーム２側に蹴り板６を備え、当該蹴り板６は天フレ−ム１側に弾発部材９にて付勢され、かつ、左右のサイドフレーム３に握り棒５を立設したことを特徴とする健康器具。
【請求項２】
蹴り板６に足先を支持する手段２ａを備えた請求項１記載の健康器具。
【請求項３】
握り棒５はサイドフレーム３の長手方向にその位置を変更可能とした請求項１記載の健康器具。
【請求項４】
サイドフレーム３は天地方向にその長さを変更可能とした請求項１記載の健康器具。
【請求項５】
頭側の天フレーム１と、足側の地フレーム２と、左右のサイドフレーム３と、によって形成された四辺形状フレームＦが形成され、地フレーム２側に蹴り板６を備えると共に足を支持する手段２ａをかかる蹴り板６に備え、天フレーム１に一対の握りハンドル７を備えると共に前記握りハンドル７は先端が地フレ−ム側に回動可能とされ、蹴り板６と一対の握りハンドル７との間を弾発部材９にて連結されていることを特徴とする健康器具。
【請求項６】
蹴り板６と一対の握りハンドル７との間をスプリング９ａを介してチェ−ン或いはロ−プ９ｂにて連結されている請求項５記載の健康器具。
【請求項７】
一対の握りハンドル７に、チェ−ン或いはロ−プ９ｂの巻き付け体１０が備えられた請求項５記載の健康器具。
【請求項８】
一対の握りハンドル７と、チェ−ン或いはロ−プ９ｂの巻き付け体１０の間にラチェット機構１１が備えられた請求項５記載の健康器具。
【発明の詳細な説明】
【技術分野】
【０００１】
本発明は、身体の関節部等に牽引力を加えたり押圧力を加えたりして、身体の不具合を矯正し、治療・リハビリを行い、体調を維持したりするのに適する健康器具に関するもので、介添え人なしでも手軽に操作可能な健康器具に係るものである。
【背景技術】
【０００２】
健康器具を使用して身体の治療やリハビリを行なったり、訓練強化したりする装置として、例えば、特許文献１〜３がある。
【０００３】
【特許文献１】実開平６−３６６３３号公報
【特許文献２】特開２００３−１９０１９９号公報
【特許文献３】特開平９−１０３５４号公報
【０００４】
特許文献１にあっては、左右一対の有孔杆部をそなえる枠体と、門型に形成されて両端を有孔杆部の孔に挿通して上方に立設させるゲートとよりなり、患部にきつけた紐をゲートの上を越えてその端を患者が持ち、紐を引き或いは弛めることにより行うリハビリ用装置である。
【０００５】
特許文献２にあっては、空気の注入で三角柱を横にした形状に膨張するエアバッグ２の傾斜した上面をベッド面とし、ベッド面に人の足首を固定する固定具を設け、エアバッグに空気を送る空気ポンプを設けた健康器具に関するものである。
【０００６】
特許文献３にあっては、長方形状の環状フレームと、その地フレームに足を支持する手段と、左右のサイドフレーム間にて胴部を支持する手段と、左右のサイドフレームに対しそれぞれのサイドフレームを軸にして回動できる腕支持具と、天フレームに頭を支持する手段と、を有する構成とする健康器具に関するものである。
【０００７】
しかるに、特許文献１、２にあっては、室内にゲート立設させたり支柱を立てたりするため室内に大きな空間を必要とし、かつ、器具そのものも大型となり、操作の際に介添えが必要となる等、家庭でしかも一人で操作することは難しかった。特許文献３にあっては、身体を横にした状態でリハビリ運動が可能となったものであり、この点では簡便で優れた器具ではあるものの、身体の関節部などに牽引力を加えるに際して、その負荷荷重は比較的小さいものである。
【発明の開示】
【発明が解決しようとする課題】
【０００８】
上記の各装置は、装置が大がかりなこと、操作に当たって介添え人が必要であること、身体のある一部分の治療やリハビリにしか適用でず、各人に応じた力を選べないこと等の欠点が指摘されている。
【０００９】
本発明は、このような問題に着目し、極めて簡単な構造で、しかも各人に応じて一人で自身の体調維持や治療、リハビリ等を行える健康器具を実現することを目的とするものである。
【課題を解決するための手段】
【００１０】
本発明の第１は、頭側の天フレーム１と、足側の地フレーム２と、左右のサイドフレーム３と、によって形成された四辺形状フレームＦが形成され、地フレーム２側に蹴り板６を備え、当該蹴り板６は天フレ−ム１側に弾発部材９にて付勢され、かつ、左右のサイドフレーム３に握り棒５を立設したことを特徴とする健康器具である。
【００１１】
そして、好ましくは握り棒５はサイドフレーム３の長手方向にその位置を変更可能としたものである。又、蹴り板６を付勢する弾発部材が、例えばスプリング、ゴム弾性体である。この弾発部材９は、スプリング９ａを介してチェ−ン或いはロ−プ９ｂからなっている。更に、サイドフレーム３は使用者の背丈に応じて天地方向にその長さを変更可能とした構造がよい。
【００１２】
本発明の第２は、頭側の天フレーム１と、足側の地フレーム２と、左右のサイドフレーム３と、によって形成された四辺形状フレームＦが形成され、地フレーム２側に蹴り板６を備えると共に足を支持する手段２ａをかかる蹴り板６に備え、天フレーム１に一対の握りハンドル７を備えると共に前記握りハンドル７は先端が地フレ−ム側に回動可能とされ、蹴り板６と一対の握りハンドル７との間を弾発部材９にて連結されていることを特徴とする健康器具である。
【００１３】
そして、好ましくは、蹴り板６と一対の握りハンドル７との間をスプリング９ａを介してチェ−ン或いはロ−プ９ｂによる弾発部材９にて連結されている健康器具である。又、一対の握りハンドル７と連動してチェ−ン或いはロ−プ９の巻き付け体１０が備えられたものがよく、更に、握りハンドル７の巻き付け体１０と弾発部材９との間にラチェット機構１１が備えられた健康器具である。
【００１４】
尚、健康器具としては、第１発明及び第２発明を組み合わせることができることは勿論であり、四辺形状のフレ−ムＦを基本構造とし、蹴り板、握り棒、ハンドル、弾発部材、ラチェット機構等を備えることによって２種類の健康器具として用いることができる。
【発明の効果】
【００１５】
本発明は、以上の通りであり、第１発明及び第２発明によって、身体全体をストレッチでき、或いは下半身の筋肉を鍛えることができ、極めて簡単な構造の器具で整体や体調の不調を解消したりできることとなったものである。
【実施例】
【００１６】
以下、本発明を図面をもって更に詳細に説明する。
図１は本発明の健康器具の斜視図であり、図２はその側面図である。即ち、頭側の天フレーム１と、足側の地フレーム２と、左右のサイドフレーム３とによって形成された四辺形状フレームＦが形成される。そして、地フレーム２側に四辺形状フレームＦ内に蹴り板６を備えたものである。
【００１７】
この蹴り板６はフレ−ム３の内側に形成した溝３ｂに添ってスライド可能としたものであり、この蹴り板６には使用者の足首を支持する手段２ａ（ここでは足の甲を支えるバンド）を備えている。そして、蹴り板６はロ−プ９ｂ及びスプリングボックス９Ａ内のコイルスプリング９ａを連結してなるもので、状態では蹴り板６は天フレ−ム１側に付勢されている。左右のサイドフレーム３に握り棒５を立設されており、例えば、調整穴５ａに差し込まれてなるものである。勿論、調整穴５ａは複数穿孔され、使用者の背丈やリハビリの状況によって蹴り板６との間隔を調整するものである。
【００１８】
更に、好ましくは左右のサイドフレ−ム３は複数に分割されており、これらは伸縮可能とされるのがよい。図例にあっては、左右のサイドフレ−ム３はスライド可能に二分割され、調整穴３ａが夫々穿孔され、これにピンを嵌め込んで長さを調整するものである。
【００１９】
以上は本発明の第１の構成を示したものであり、使用者はフレ−ムＦ内にて上半身を立て、両手で握り棒５を握り、足の裏にて蹴り板６を押してリハビリ効果をもたらすものである。足の裏にて弾発力に抗するように蹴り板６を押す（蹴る）ものであって、これを繰り返すことによって下半身の筋肉を鍛えることができることとなったものである。即ち、脚力増強運動と同時に腕力の増強にも繋がるものである。
【００２０】
さて、天フレ−ム１には一対の握りハンドル７が備えられ、このハンドル７は両手で握られ、地フレ−ム２側に引き寄せるように回動可能とされている。
【００２１】
図３はこのハンドル７の機構を頭側より見たところであり、一対のハンドル７はこの例では１本の軸７ａによって繋がれており、その軸７ａの左右側方はロ−プ９を巻き上げる部位１０（巻き付け体）となっている。そして、軸７ａにはラチェット機構１１が備えられており、歯車１１ａが軸７ａに備えられ、歯車１１ａと嵌り合う爪１１ｂがハンドル７側に備えられている。
【００２２】
一方、ロ−プ９はスプリング９ａを介して蹴り板６に連結されるが、地フレ−ム２側に備えられた反転用軸１５を介して連結されており、ロ−プ９を引くことによって、即ち、ハンドル７を引くことによって蹴り板６が地フレ−ム２側に引っ張られることになる。従って、この蹴り板６に備えたバンド２ａに支持された足首が引っ張られることになる。
【００２３】
尚、場合によっては、蹴り板６を地フレ−ム２に固定し、或いは蹴り板６を地フレ−ム２と一体とし、これにバンド２ａを備えて足首を固定してもよく、この場合には、ロ−プ９の先端は地フレ−ム２に、或いは、フレ−ムの任意の位置で固定してもよい。
【００２４】
以上は本発明の第２の構成を示したものであり、使用者はフレ−ムＦ内にて足先を蹴り板６のバンド２ａに固定し、両手でハンドル７を頭上から地フレ−ム２側に引っ張ることによりロ−プ９が巻き付け体１０に巻き付けられて蹴り板６が地フレ−ム２側に引っ張られる。これによって使用者の身体全体が伸ばされる。この運動は腕力の増強運動と共に、背伸ばし運動をも同時に行うことができたものであり、寝たきりの病人や手術後のリハビリに最適なものとなる。
【産業上の利用可能性】
【００２５】
本発明は比較的簡単な構造の器具で、身体のストレッチは勿論のこと、下半身の増強にも役立つものであり、整体や体調の不調を解消したりできるものである。又、使用する人の体格に合わせて、器具が調整できるので、単一の器具をより多くの人が共用できるという特徴もある。
【図面の簡単な説明】
【００２６】
【図１】図１は本発明の健康器具の斜視図である。
【図２】図２は図１の側面図である。
【図３】図３はハンドルの機構を頭側より見た図である。
【符号の説明】
【００２７】
Ｆ‥四辺形状フレーム、
１‥天フレーム、
２‥地フレーム、
２ａ‥足首支持手段、
３‥サイドフレーム、
３ａ‥調整穴、
３ｂ‥フレ−ムの溝、
５‥握り棒、
５ａ‥調整穴、
６‥蹴り板、
７‥ハンドル、
７ａ‥ハンドル軸、
９Ａ‥スプリングボックス、
９ａ‥スプリング、
９ｂ‥ロ−プ、
１０‥ロ−プ巻き付け体、
１１‥ラチェット機構、
１１ａ‥歯車、
１１ｂ‥爪、
１５‥反転用軸。
【図１】
2005287998.tif 000003
【図２】
2005287998.tif 000004
【図３】
2005287998.tif 000005